Podtech/llm-jp-corpus-v4-ja_patent huggingface dataset:
(57)【要約】【課題】本発明は、直接に透明電池の状態を確認することができる透明電池監視システムを提供することを目的とする。【解決手段】本発明の透明電池監視システムは、電子装置内で実行され、透明電池、制御チップ、第一スイッチ及び第一発光部材を備え、制御チップが透明電池の第一状態を感知した場合、第一スイッチは閉じられ、第一発光部材から射出された第一色の光は、透明電池を透過する。【選択図】図１
2015037080.tif 000002
【特許請求の範囲】
【請求項１】
電子装置内で実行され、透明電池及び制御チップを備える透明電池監視システムにおいて、
前記透明電池監視システムは、第一スイッチ及び第一発光部材を備え、前記制御チップが前記透明電池の第一状態を感知した場合、前記第一スイッチは閉じられ、前記第一発光部材から射出された第一色の光は前記透明電池を透過することを特徴とする透明電池監視システム。
【請求項２】
前記透明電池監視システムは、第二スイッチ及び第二発光部材を備え、前記制御チップが前記透明電池の第二状態を感知した場合、前記第二スイッチは閉じられ、前記第二発光部材から射出された第二色の光は前記透明電池を透過することを特徴とする請求項１に記載の透明電池監視システム。
【請求項３】
前記透明電池監視システムは、第三スイッチ及び第三発光部材を備え、前記制御チップが前記透明電池の第三状態を感知した場合、前記第三スイッチは閉じられ、前記第三発光部材から射出された第三色の光は前記透明電池を透過することを特徴とする請求項２に記載の透明電池監視システム。
【請求項４】
前記第一状態とは、前記透明電池の充電量が総量に対する一定の比率の値より小さい状態であり、前記第二状態とは、前記透明電池の充電量が満充電の状態であり、前記第三状態とは、前記透明電池の温度が予め設定された設定値より高い状態であることを特徴とする請求項３に記載の透明電池監視システム。
【請求項５】
前記透明電池は、透明電池本体及び前記透明電池本体に装着された温度感知器を備え、前記温度感知器は、前記透明電池本体の温度を感知し、且つ感知した温度値を前記制御チップに送信して、前記透明電池の温度を監視することを特徴とする請求項１に記載の透明電池監視システム。
【請求項６】
前記第一スイッチは、前記透明電池と前記第一発光部材との間に設置され、前記第一スイッチが閉じられると、前記透明電池が直接に前記第一発光部材に給電することを特徴とする請求項１に記載の透明電池監視システム。
【発明の詳細な説明】
【技術分野】
【０００１】
本発明は、電池監視システムに関し、特に透明電池監視システムに関するものである。
【背景技術】
【０００２】
様々な携帯型電子装置（例えば、ノート型パソコン、携帯電話等）には、充電式電池が装着されており、電子装置に給電するが、現在は、透明電池が電子装置に応用されている。また、透明電池の温度が高過ぎたり、充電量が少な過ぎる場合には、電子装置のパネルに注意メッセーッジが表示される。しかし、ユーザが電子装置の近くにいない場合、ユーザはその注意メッセージを確認できず、透明電池の状態を確認できない。
【発明の概要】
【発明が解決しようとする課題】
【０００３】
以上の問題点に鑑みて、本発明は、直接に透明電池の状態を確認することができる透明電池監視システムを提供することを目的とする。
【課題を解決するための手段】
【０００４】
上記の課題を解決するために、本発明の透明電池監視システムは、電子装置内で実行され、透明電池、制御チップ、第一スイッチ及び第一発光部材を備え、制御チップが透明電池の第一状態を感知した場合、第一スイッチは遮断され、第一発光部材から射出された第一色の光は透明電池を透過する。
【発明の効果】
【０００５】
本発明の透明電池監視システムは、透明電池の状態を監視し、該状態によって、発光部材の発光を制御する。また、光が透明電池を透過するため、電子装置のパネルに表示された注意メッセージを確認せずとも、直接に透明電池の状態を確認することができる。
【図面の簡単な説明】
【０００６】
【図１】本発明に係る透明電池監視システムの機能モジュール図である。
【図２】本発明に係る透明電池監視システムの回路図である。
【発明を実施するための形態】
【０００７】
以下、図面に基づいて、本発明に係る透明電池監視システムについて詳細に説明する。図１及び図２に示したように、透明電池監視システムは、電子装置内で実行され、透明電池１０、制御チップ３０、スイッチ部材７０及び発光部材アセンブリ９０を備える。透明電池１０は、透明電池本体１１及び透明電池本体１１に装着された温度感知器５０を備える。温度感知器５０は、透明電池本体１１の温度を感知することに用いられる。
【０００８】
透明電池１０は、発光部材アセンブリ９０の外側に設置されている。この発光部材アセンブリ９０は、第一発光部材９１、第二発光部材９２及び第三発光部材９３を備える。本実施形態において、上記の３つの発光部材は、３つのＬＥＤであり、それぞれ３つの異なる色の光を射出する。透明電池１０は、スイッチ部材７０を介して、発光部材アセンブリ９０と接続される。透明電池１０は、温度感知器５０を介して、制御チップ３０と接続され、制御チップ３０は、スイッチ部材７０と接続される。スイッチ部材７０は、第一発光部材９１と接続される第一スイッチ７１、第二発光部材９２と接続される第二スイッチ７２、第三発光部材９３と接続される第三スイッチ７３を備える。
【０００９】
電子装置が作動する際、透明電池１０が給電状態であり、制御チップ３０が透明電池１０の第一状態（例えば、透明電池１０の充電量が総量の１０％より少ない状態）を感知した場合、制御チップ３０は、第一スイッチ７１を閉じ、透明電池１０に第一発光部材９１に対して給電させる。これにより、ユーザは、第一発光部材９１から射出された第一色の光（例えば、黄色い光）を、透明電池１０を透過して見ることができる。
【００１０】
透明電池１０が充電状態の際、制御チップ３０は、透明電池１０の第二状態（例えば、透明電池１０の充電量が満充電の状態）を感知した場合、制御チップ３０は第二スイッチ７２を閉じ、透明電池１０に第二発光部材９２に対して給電させる。これにより、ユーザは、第二発光部材９２から射出された第二色の光（例えば、青い光）を、透明電池１０を透過して見ることができる。
【００１１】
制御チップ３０は、透明電池１０の第三状態（例えば、透明電池１０の温度が予め設定された設定値より高い状態）を感知した場合、第三スイッチ７３を閉じ、透明電池１０に第三発光部材９３に対して給電させる。これにより、ユーザは、第三発光部材９３から射出された第三色の光（例えば、赤い光）を、透明電池１０を透過して見ることができる。
【符号の説明】
【００１２】
１０  透明電池
１１  透明電池本体
５０  温度感知器
３０  制御チップ
７０  スイッチ部材
７１  第一スイッチ
７２  第二スイッチ
７３  第三スイッチ
９０  発光部材アセンブリ
９１  第一発光部材
９２  第二発光部材
９３  第三発光部材
【図１】
2015037080.tif 000003
【図２】
2015037080.tif 000004
(57)【要約】【課題】従来シャツの襟の乱れを整えるものとしてはボタンで止めるシャツはあったが、他に方法はなかった。【解決手段】Ｕ字型チェーン等の物で、左右の襟を支持具で結ぶことによって、この襟の乱れを正す事ができる【選択図】図１
2015037438.tif 000002
【特許請求の範囲】
【請求項１】
シャツを着用してネクタイをしない状態で本品を使用し、両襟を紐状のものを使用し、Ｕ字形で垂れ下げる形状で使用する。
【請求項２】
紐状のものの材質は、チェーン、ゲルマニュームなどのパワーストーン材、プラスティック、ビニール、シリコン材等、紐状の全ての材質とする。
【請求項３】
両襟を挟む部分と、紐状のものを支持する部分からなる止め具を使する。
【請求項４】
止め具の材質は金属、プラスティック、ビニール材、シリコン材等の全ての材質とする。
【発明の詳細な説明】
【技術分野】
【０００１】夏の軽装化でネクタイをはずした時のＹシャツの襟の乱れ（左右不揃い等）を整えるため、左右の襟の下部をＵ字に結びつけるチェーンおよび同等機能・形状を満たす物とそれを支持する機能を持つ挟み具。
【背景技術】
【０００２】シャツ襟の乱れ（左右不揃い等）を整えためのものとして、襟をボタンで止める通称「ボタンダウン」というシャツはあったが、襟が窮屈なもので、ゆったりとした襟元ではなかった。
【発明の概要】
【発明が解決しようとする課題】
【０００３】夏の軽装化でネクタイをはずした時など、襟がつぶれて、襟元の開き過ぎや左右の襟の不揃いが発生する。この襟の乱れを解決することが課題。
【課題を解決するための手段】
【０００４】Ｕ字形チェーンおよび紐状の物で左右の襟を支持具で結ぶことによって、Ｕ字形が持つ曲線と支持具の重みで襟が立つと同時に襟元が左右対象で適度に開放される。
【発明の効果】
【０００５】襟元がある程度に開放でき、なおかつ、左右の襟が不揃いという現象を克服でき、襟元が整う。
【図面の簡単な説明】
【０００６】
【図１】使用した時の正面から見た図である。
【符号の説明】
【０００７】▲１▼は両襟を結ぶ紐状のもので、チェーン、ゲルマニュームなどのパワーストーン材、プラスティック、ビニール材等でできている。
▲２▼は両襟を挟む止め具で、前▲１▼項のひも状のものを支持する。
材質は金属、プラスティック、ビニール材、シリコン材等でできている。
【図１】
2015037438.tif 000003
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
両襟を挟む部分と、紐状のものを支持する部分からなる止め具を使用し、
紐状のものは全ての材質とし、その材質のうちからビニール等のプレート状のものを使用し、プレートに広告印字、例えば「復興日本」「省エネ」「節電」といったような印字をして広告、宣伝に使用できる用具。
(57)【要約】【課題】予防的および治療的ワクチン接種のためのワクチンとして好適な組み換え的に製造されたタンパク質並びにＶＬＰｓ、並びにこれらのタンパク質およびＶＬＰｓの製造方法を利用可能にすること。【解決手段】ウイルス構造タンパク質Ｌ１および／またはＬ２の発現後に形成される組み換え的に製造されたパピローマウイルス様粒子であって、Ｌ１および／またはＬ２タンパク質の１個または複数個の部分が欠失しており、それによりウイルス様粒子を形成する能力が残存していることを特徴とする、上記のパピローマウイルス様粒子。【選択図】なし【特許請求の範囲】
【請求項１】
切断型ヒトパピローマウイルス（ＨＰＶ）Ｌ１構造タンパク質を含む、組み換えパピローマウイルス様粒子であって、該Ｌ１構造タンパク質は、完全長ＨＰＶ  Ｌ１アミノ酸配列から１個〜３４個のカルボキシ末端アミノ酸残基が欠失している、組み換えパピローマウイルス様粒子。
【請求項２】
前記欠失は、ネイティブＬ１タンパク質と比較して、前記Ｌ１タンパク質の、ウイルス様粒子を形成する能力を増加させる、請求項１に記載の組み換えパピローマウイルス様粒子。
【請求項３】
前記Ｌ１タンパク質における欠失したアミノ酸残基が、３４個のカルボキシ末端アミノ酸残基を含む、請求項１または２に記載の組み換えパピローマウイルス様粒子。
【請求項４】
前記Ｌ１タンパク質が、ＨＰＶ１６に由来する、請求項１または２に記載の組み換えパピローマウイルス様粒子。
【発明の詳細な説明】
【技術分野】
【０００１】
【数１】
2015037430.tif 000002
【背景技術】
【０００２】
【数２】
2015037430.tif 000003
【０００３】
【数３】
2015037430.tif 000004
【０００４】
【数４】
2015037430.tif 000005
【０００５】
【数５】
2015037430.tif 000006
【発明の概要】
【発明が解決しようとする課題】
【０００６】
【数６】
2015037430.tif 000007
【課題を解決するための手段】
【０００７】
【数７】
2015037430.tif 000008
【０００８】
【数８】
2015037430.tif 000009
【０００９】
【数９】
2015037430.tif 000010
【００１０】
【数１０】
2015037430.tif 000011
【００１１】
【数１１】
2015037430.tif 000012
【００１２】
【数１２】
2015037430.tif 000013
【００１３】
【数１３】
2015037430.tif 000014
【発明を実施するための形態】
【００１４】
【数１４】
2015037430.tif 000015
【００１５】
【数１５】
2015037430.tif 000016
【００１６】
【数１６】
2015037430.tif 000017
【００１７】
【数１７】
2015037430.tif 000018
【００１８】
【数１８】
2015037430.tif 000019
【００１９】
【数１９】
2015037430.tif 000020
【００２０】
【数２０】
2015037430.tif 000021
【００２１】
【数２１】
2015037430.tif 000022
【００２２】
【数２２】
2015037430.tif 000023
【００２３】
【数２３】
2015037430.tif 000024
(57)【要約】      （修正有）【課題】お年寄りなど、非力な人でも、簡単に持ちやすくしたコーヒーカップの取っ手を提供する。【解決手段】コーヒーカップ１の、取っ手の親指で押さえる部分２を広く、平らにし、薬指、小指で押す部分４をつけ、コーヒーカップ１を使用するときは、人差し指、中指で、取っ手の人差し指、中指で引きながら持つ部分３を引き寄せ、薬指、小指で、取っ手の薬指、小指、で押す部分４を押すように持ち、取っ手の親指で押さえる部分２を親指で押える。【選択図】図１
2015037455.tif 000002
【特許請求の範囲】
【請求項１】
コーヒーカップの取っ手に薬指で押せるような部分を設け持ちやすいコーヒーカップの取っ手。
【発明の詳細な説明】
【技術分野】
【０００１】本発明は、コーヒーカップ持つときに人差し指中指薬指で引き薬指で押し、また親指で押す部分を広くして、持ちやすくしたコーヒーカップの取っ手に関するものである。
【背景技術】
【０００２】従来、コーヒーカップの取っ手は耳のような形をしたものがあったが持ち上げるとき、人差し指中指で持ち上げ親指で押えるなど持ちにくかった、【０００３】そのために，、次のような問題点があった。
（イ）お年寄りなど力が弱い人等は左右に取っ手があるものなどを使用していた。本発明は以上の問題点を解決しようとするものである
【課題を解決するための手段】
【０００４】コーヒーカップの取っ手に親指で押える部分を平たくして薬指、小指、で押える部分をつけ、持ちやすくしたコーヒーカップの取っ手である。
【発明の効果】
【０００５】本発明は、コーヒーカップの取っ手に親指で押える部分を広くして薬指小指で押す部分をつけ持ちやすくまた飲みやすくした。
【発明を実施するための最良の形態】
【０００６】  以下、本発明の実施の形態を説明する。
（イ）コーヒーカップの親指で押える部分（２）を平たくする
（ロ）薬指、小指で押える部分（４）を作る
本発明は，以上の構成よりなっている。
本発明をしようとするときは人差し指、中指（３）でカップの取っ手を引き寄せ、薬指、小指、（４）を押すように持ち、親指（２）で押え
【図面の簡単な説明】
【０００７】
【図１】本発明の斜視図
【符号の説明】１    コーヒーカップ
２    取っ手の親指で押える部分
３    人差し指、中指で引きながら持つ部分
４    薬指、小指、で押す部分
【図１】
2015037455.tif 000003
【手続補正書】
【提出日】平成24年8月5日(2012.8.5)
【手続補正１】
【補正対象書類名】特許請求の範囲
【補正対象項目名】全文
【補正方法】変更
【補正の内容】
【特許請求の範囲】
【請求項１】
コーヒーカップの取っ手を図１に示すように上部からまっすぐにおろし，下部は外側にふくらませて、親指で押え人差し指中指で引き薬指、小指で押して持ち上げる持ちやすいコーヒーカップの取っ手。
【手続補正２】
【補正対象書類名】明細書
【補正対象項目名】全文
【補正方法】変更
【補正の内容】
【発明の詳細な説明】
【技術分野】
【０００１】本発明は、持ちやすいコーヒーカップの取っ手に関するものである。
【背景技術】
【０００２】従来、コーヒーカップの取っ手は人間の耳のような形をしたものマグカップのように半円をしたものがあり上部からまっすぐに降ろし下部を膨らませたものはなかった。
【発明の開示】
【発明が解決しようとする課題】
【０００３】  そのために次のような問題点があった。
（イ）コーヒーカップを持ち上げるときは人差し指、中指で持ち上げ薬指で持ち上げていたが取っ手が斜めにコーヒーカップの取っ手がついているため薬指、小指ではおさあ得にくかった。
本発明は以上の問題点を解決しようとするものである
【課題を解決するための手段】
【０００４】コーヒーカップの取っ手をまっすぐにおろして下部をカップとはぎゃくにふくらませて、持ちやすくした、持ちやすいコーヒーカップの取っ手。
【発明の効果】
【０００５】本発明は、コーヒーカップの取っ手に親指で押える部分を広くして薬指小指で押す部分をつけ持ちやすくまた飲みやすくした。
【発明を実施するための最良の形態】
【０００６】  以下、本発明の実施の形態を説明する。
（イ）コーヒーカップの親指で押える部分（２）を平たくする
（ロ）薬指、小指で押える部分（４）を作る
本発明は，以上の構成よりなっている。
本発明をしようとするときは人差し指、中指（３）でカップの取っ手を引き寄せ、薬指、小指、（４）を押すように持ち、親指（２）で押え
【図面の簡単な説明】
【０００７】
【図１】本発明の斜視図
【符号の説明】１    コーヒーカップ
２    取っ手の親指で押える部分
３    人差し指、中指で引きながら持つ部分
４    薬指、小指、で押す部分
【手続補正３】
【補正対象書類名】図面
【補正対象項目名】全図
【補正方法】変更
【補正の内容】
【図１】
2015037455.tif 000004
【手続補正書】
【提出日】平成24年11月3日(2012.11.3)
【手続補正１】
【補正対象書類名】明細書
【補正対象項目名】０００７
【補正方法】変更
【補正の内容】
【０００７】
【図１】  本発明の斜視図
【図２】  コーヒーカップの取っ手
【手続補正２】
【補正対象書類名】図面
【補正対象項目名】全図
【補正方法】変更
【補正の内容】
【図１】
2015037455.tif 000005
【図２】
2015037455.tif 000006
(57)【要約】【課題】先端の食物つかみ部が一回だけの使い捨てであって衛生的であり、しかも割り箸に比べて材料の使用量が少なくて経済的な箸を提供する。【解決手段】一端部に挿入口４が形成された箸本体３と、挿入口４に着脱自在に挿入される食物つかみ部３とからなり、食物つかみ部３は、中間部から両先端に向かって先細りの左右対称形状とする。【選択図】図１
2015037464.tif 000002
【特許請求の範囲】
【請求項１】
少なくとも一端部に挿入口が形成された箸本体と、前記挿入口に着脱自在に挿入される食物つかみ部とからなる箸。
【請求項２】
請求項１記載の箸であって、前記食物つかみ部は、中間部から両先端に向かって先細りの左右対称形状であるものである。
【請求項３】
前記食物つかみ部が複数本収容され、開口部が横向き又は上向きになるように設置されたケース体を備えた箸収容装置。
【発明の詳細な説明】
【技術分野】
【０００１】  本発明は、主として飲食店で使用される箸及び箸収容装置に関するものである。
【背景技術】
【０００２】  一般に、飲食店では割り箸が使用されてきたが、資源節減のため使い捨てではない通常の家庭用の箸も使用されつつある。
【発明の概要】
【発明が解決しようとする課題】
【０００３】  家庭用の箸は、洗って何度でも使用できる利点があるが、知らない他人の使用した箸は不潔であり、使いたくないという潔癖症の人も少なからず存在し、そのような人は自分の箸（マイ箸）としていつも所持し、飲食店でもそのマイ箸を使用するようにしている。このようなマイ箸は、ハンドバッグや衣服のポケット（男性の場合）に入れて持ち歩くのはかさばり、煩わしいという問題があるため、所持していないことも多く、その場合は割り箸を使用している飲食店を利用するしかなかった。【０００４】  本発明は、先端の食物つかみ部が一回だけの使い捨てであって衛生的であり、しかも割り箸に比べて材料の使用量が少なくて経済的な箸を提供することを目的とする。
本発明の他の目的は、客が自分で食物つかみを交換できる箸収容装置を提供するにある。
【課題を解決するための手段】
【０００５】  請求項１記載の発明は、少なくとも一端部に挿入口が形成された箸本体と、前記挿入口に着脱自在に挿入される食物つかみ部とからなるものである。【０００６】  請求項２記載の発明は、前記食物つかみ部は、中間部から両先端に向かって先細りの左右対称形状であるものである。【０００７】  請求項３記載の発明は、前記食物つかみ部が複数本収容され、開口部が横向き又は上向きになるように設置されたケース体を備えた箸収容装置である。
【発明の効果】
【００１０】  本発明の箸は、食物つかみが一回だけの使い捨てであるので衛生的であり、しかも割り箸に比して材料の使用量が少なくてすむので経済的であり、省資源化に寄与することができる。
本発明の箸収容装置は、食物つかみ部を収容したケース体を客席に設置しておくことにより、客が自分で箸本体を食物つかみ部に差し込んで使用することが可能になり、客は新しい食物つかみ部であることが明確に判断できるとともに、店の従業員も食物つかみ部の交換に手間が省ける。
【図面の簡単な説明】
【００１１】
【図１】（ａ）は本発明の箸の側面図、（ｂ）は要部の拡大断面図である。
【図２】分解状態の断面図である。
【図３】図１のＡ−Ａ線断面図である。
【図４】箸収容装置の断面図である。
【図５】箸収容装置の正面図である。
【発明を実施するための形態】
【００１２】  図１（ａ）は本発明の箸の側面図、図２は箸の要部に拡大断面図である。
【００１３】  本発明の箸１は、箸本体２と、箸本体２の先端に着脱自在に取付けられた食物つかみ部３とからなるものである。箸本体２は、図３に示すように断面略４角形に形成されている。なお、箸本体２の断面形状は５角形又はそれ以上の多角形でも、あるいは断面円形であってもよい。箸本体２の一端又は両端には挿入口４が形成されている。挿入口４を箸本体２の両端に形成しておけば、食物つかみ部３の挿入操作に迷うことなく容易に行うことができる。なお、挿入口４内に水が溜まるのを防止するため、挿入口４の周囲に水抜きの小孔４ａが形成されている。
【００１４】  食物つかみ部３は中間に円柱部３ａが形成され、この円柱部３ａの両端に先細り部分３ｂが形成された、左右対称形状のものであるが。食物つかみ３の材質は、木材又は竹などの自然物が好ましいが、合成樹脂でもよい。この食物つかみ部３は、飲食店の厨房などの保管されており、店の従業員が新しい食物つかみ部３を箸本体２の挿入口４に差し込んで取付けて箸１を完成させ、店の客に提供する。客が使用し終わった食物つかみ部３は廃棄し、２度と使用することはない。
【００１５】  食物つかみ部３は木材又は竹を使用することにより、見た目で新品か否かが分かり、客は他人が使用していない新しい箸で安心して食事をすることができる。したがって、従来の家庭用の箸のように洗って何度を客に提供することがなくなり、潔癖症の客でも抵抗なく外食することができる。ただし、プラスチックで構成することも可能であり、材質は限定されない。食物つかみ部３は箸本体２の１／３以下の小片であるので、割り箸に比して材料の節減になり、省資源の効果がある。
【００１６】  食物つかみ部３は、図示の例のように左右対称形状にすると、どちらから挿入してもよいので、挿入作業が容易になる。ただし、箸本体２への挿入部分は先端のつかみ部分より短くてもよいので、左右対称形状でなくてもよい。
【００１７】  上記実施形態は、中実の箸本体２の一端又は両端に挿入口を形成した構成であるが、全体を中空の箸本体２とした構成でもよい。この中空部は、中央から両端に向かって内径が徐々に拡大するようなテーパを持った形状とすることにより、内部に入った水は自動的に開口部に流れ出て内部に溜まることが避けられる。なお、
【００１８】  図４及び図５は、箸収容装置６を示す。前部が開口したケース５に多数の食物つかみ３を収納し、このケース５を開口部５ａが斜め上向きになるように傾斜して、又は真上向きに設置しておく。箸本体２の挿入口４を食物つかみ部３に向けて押し込むことにより、食物つかみ部３を箸本体２に簡単に取付けることができる。この方法では、食物つかみ部３を収納したケース５を客席に設置しておけば、店に来た客が食物つかみ部３に触れることなく取付け操作することが可能となるので、客は食物つかみ部３が新品であることがより明確になり、安心感が得られる利点がある。
【符号の説明】
【００１９】１  箸
２  箸本体
３  食物つかみ部
４  挿入口
【図１】
2015037464.tif 000003
【図２】
2015037464.tif 000004
【図３】
2015037464.tif 000005
【図４】
2015037464.tif 000006
【図５】
2015037464.tif 000007
(57)【要約】      （修正有）【課題】除雪作業時、スノーダンプに積んだ雪を移動する時、路面に雪がない場合に簡単に移動出来るスノーダンプを提供する。【解決手段】スノーダンプの構成は、（１）底板１後部をコの字に曲げ続けてＲ状に曲げる。（２）底板１の両側に立板３を設ける。（３）立板３の両外側上部にナベボルト４を２個設ける。（４）Ｌ型板５上部左右に切欠穴６を設け、その間に丸穴７と長穴８をつなげて設け金具付固定キャスター９に固定する。（５）両側面に設けたナベボルト４にＬ型板５の付いた固定キュスター９を設け、後部にハンドル１０を設ける。【選択図】図１
2015004260.tif 000002
【特許請求の範囲】
【請求項１】
（１）底板１の後部側を半丸状に曲げ端部をコの字状に曲げる。
（２）底板１の前部下に補強板２を設ける。
（３）底板１の両側面に立板３を設ける。
（４）立板３の両外側上部にナベボルト４を２個板厚分のすき間をあけて設ける。
（５）Ｌ型板５の上部左右に切欠穴６を設けその間に丸穴７と長穴８をつなげて設け、金具付固定キャスター９に固定する。
（６）立板３の両側面に設けた、ナベボルト４にＬ型板５の付いた固定キャスター９を付ける。
（７）立板３の両側面後方に丸パイプ状のコの字型ハンドル１０を設け
以上の如く構成されたキャスターが着脱収納が出来るスノーダンプ台車。
【発明の詳細な説明】
【発明の詳細な説明】
【技術分野】
【０００１】この発明は除雪作業時、スノーダンプに積んだ雪を移動する時路面に雪がない時に簡単に移動出来るスノーダンプに関するものである。
【背景技術】
【０００２】従来のスノーダンプは移動する路面に雪が無いと移動が困難でした。
又、無理をすると破損してしまう。
又、冬期間だけの使用だった。
【発明が解決しようとする課題】
【０００３】したがって、従来のスノーダンプは、何年か使用すると壊れてしまい使用頻度が少ないが購入回数が多かった。
又、路面に雪が無い時はスコップで何回も移動したり、一輪車に積んで移動していたので重労働だった。
本発明はこうした使用者にどんな状況でも使用出来る様に又冬期間だけでなく、台車としても使用出来る様に発明したものである。
【課題を解決するための手段】
【０００４】いま、その構成を説明すると
（１）底板１後部をコの字に曲げ続けてＲ状に曲げる。
（２）底板１の両側に立板３を設ける。
（３）立板３の両外側上部にナベボルト４を２個設ける。
（４）Ｌ型板５上部左右に切欠穴６を設け、その間に丸穴７と長穴８をつなげて設け金具付固定キャスター９に固定する。
（５）両側面に設けたナベボルト４にＬ型板５の付いた固定キュスター９を設け、後部にハンドル１０を設ける。
以上のように装置する。
【発明実施の形態】
【０００５】次に、本説明の実施の形態をのべると
積もった雪をスノーダンプで除雪するとスノーダンプに載った雪の重みと濡れた路面でスノーダンプ底部の摩擦抵抗が大きくなる。
したがって両側面に設けた固定キャスター９が路面を転がり摩擦抵抗が少なくなり移動が楽になる。
【発明の効果】
【０００６】だから路面に雪がなくても移動が楽で多量に運べる。
又、台車としても使用出来るので一年をとうして使用出来る。
【図面の簡単な説明】
【図１】本発明の側面図
【図２】本発明のキャスター収納側面図
【図３】本発明のキャスター脱側面図
【図４】本発明のキャスター側図面  本発明の他の側面図
【符号の説明】１  は底板
２  は補強板
３  は立板
４  はナベボルト
５  はＬ型板
６  は切欠穴
７  は丸穴
８  は長穴
９  は金具付固定キャスター
１０はハンドル
【図１】
2015004260.tif 000003
【図２】
2015004260.tif 000004
【図３】
2015004260.tif 000005
【図４】
2015004260.tif 000006
(57)【要約】      （修正有）【課題】工業部門、日曜大工部門などに役に立つボルト及び工具の提供【解決手段】図に記載のボルト及び工具【選択図】図１
2015004429.tif 000002
【特許請求の範囲】
【請求項１】
ボルトである請求項１又は請求項２記載の製造装置
・ボルトである請求項１，２，３，４又は５記載の製造装置
・ボルトである請求項１〜５のいずれか１項に記載の製造装置
【発明の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
必要性が有ること
【課題を解決するための手段】
【・・・・】
考案者と受け取り側の成功させること
【発明の効果】
【・・・・】
一本のボルトで製品がなり立って行くこと
その為には工具が必要になります
【図面の簡単な説明】
【図１】平面図、側面図
【・・・・】
【発明を実施するための形態】
【・・・・】
他の製品を参考にして努力をおしまないこと
【実施例】
【・・・・】
日曜大工製品、エレクトロニクス部門の陰となりささえて行くこと
【産業上の利用可能性】
【・・・・】
工業製品、とくに家庭向けの用品。
【符号の説明】
【・・・・】
００１２
【受託番号】
【・・・・】
【図１】
2015004429.tif 000003
【図２】
2015004429.tif 000004
【手続補正書】
【提出日】平成25年8月23日(2013.8.23)
【手続補正１】
【補正対象書類名】明細書
【補正対象項目名】全文
【補正方法】変更
【補正の内容】
【発明の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
【課題を解決するための手段】
【・・・・】
【発明の効果】
【・・・・】
【図面の簡単な説明】
【図１】平面図
【図２】側面図
【図３】側面図
【図４】平面図
【・・・・】
【発明を実施するための形態】
【・・・・】
【実施例】
【・・・・】
【産業上の利用可能性】
【・・・・】
【符号の説明】
【・・・・】
【受託番号】
【・・・・】
【手続補正２】
【補正対象書類名】図面
【補正対象項目名】全図
【補正方法】変更
【補正の内容】
【図１】
2015004429.tif 000005
【図２】
2015004429.tif 000006
【図３】
2015004429.tif 000007
【図４】
2015004429.tif 000008
【手続補正書】
【提出日】平成26年9月4日(2014.9.4)
【手続補正１】
【補正対象書類名】明細書
【補正対象項目名】全文
【補正方法】変更
【補正の内容】
【発明の詳細な説明】
【技術分野】
【０００１】この発明は、三角のかたちをしたボルトに関するものである。
【背景技術】
【０００２】従来、ボルトには多種多様なものがあり三角の形をしたものがなかった。
【先行技術文献】
【特許文献】
【０００３】
【特許文献１】
【発明の概要】
【発明が解決しようとする課題】
【０００４】これは、次のような欠点があった。
従来、ボルトを何度も使っているとボルトの痛み、金属疲労などにより困っていた。
本発明は以上のような欠点をなくすためになされたものである。
【課題を解決するための手段】
【０００５】ボルトは［図１］平面図［図２］側面図［図３］工具による側面図からなり長距離ランナー的思考により大変耐久性があり、一向に痛みません。
本発明は、以上の構成よりなる三角ボルトである。
【発明の効果】
【０００６】この三角ボルトは最初にフリーハンドでネジを回し、最後にスパナなどで締めるので使うのになんらさしつかえない。
【図面の簡単な説明】
【０００７】
【図１】本発明の平面図である。
【図２】本発明の側面図である。
【図３】本発明の側面図である。（工具の図面には側面図と平面図がある。）
【発明を実施するための形態】
【０００８】以下、本発明を実施するための形態について説明する。
長い道のりを走るにもボルトの折れや金属疲労により折れ曲がり、やがて切断されてしまいます。
長距離ランナーのようにトラックの車輪のボルトは耐え抜きます。
この三角ボルトを使用するときは大船に乗ったつもりで居てください。そうすると必ず前進することが約束されつずけます。
【産業上の利用可能性】
【０００９】あらゆる産業にマッチしたボルトこそが最大の利点に繋がり、経済産業の発展に無くてなならない品になります。広い世界になくてはならない発明品であります。
【符号の説明】
【０００１０】１  平面図
２  側面図
３  側面図（工具）
【手続補正書】
【提出日】平成26年10月9日(2014.10.9)
【手続補正１】
【補正対象書類名】明細書
【補正対象項目名】０００７
【補正方法】変更
【補正の内容】
【０００７】
【図１】本発明の平面図である。
【図２】本発明の側面図である。
【図３】本発明に用いる工具の側面図である。
【図４】本発明に用いる工具の平面図である。
(57)【要約】      （修正有）【課題】洗顔時の袖口の水濡れを防ぐことができる、洗顔用アームカバーを提供する。【解決手段】２重にしたタオル地１の間に、平ゴムを３段に分けて通してシャーリング８させた、洗顔用アームカバー。【選択図】図１
2015004154.tif 000002
【特許請求の範囲】
【請求項１】
２重にしたタオル地本体に平ゴムを通す部分を設け、平ゴムを通してシャーリングを施し、縁の部分にフックに掛けるためのループを設け、本体を筒状に形成した洗顔用アームカバー。
【発明の詳細な説明】
【技術分野】
【０００１】本発明は、洗顔時に水が腕を伝って流れ、袖口がぬれるのを防ぐための洗顔用アームカバーに関するものである。
【背景技術】
【０００２】従来園芸用や事務用のアームカバーがあった。
【発明の概要】
【発明が解決しようとする課題】
【０００３】それには次のような問題点があった。
（イ）生地に吸水性がなく、洗顔時に使用するとアームカバー全体に水が浸みて、袖口ま      でぬれてしまい、腕に不快感があった。
（ロ）アームカバーの縦の寸法が長く、袖口にかぶせるようにして使用しなければならな      いため、洗顔時に使用するには使いにくさを感じていた。
本発明は、これらの問題点を解決するためになされたものである。
【課題を解決するための手段】
【０００４】（イ）吸水性に優れ、肌触りの良いタオル地を用いる。
（ロ）２つ折りにして２重にしたタオル地の間に、平ゴムを３段に分けて通してシャーリ      ングを施す。
（ハ）縁の部分にフックに掛けられるループを設ける。
以上の構成よりなる洗顔用アームカバー。
【発明の効果】
【０００５】アームカバー全体にタオル地を使用しているため、肌触りが良く吸水性に優れている。さらにタオル地を２重にし、平ゴムを通してシャーリングを施してあるため、全体に使用するタオル地の面積が大きく、吸水力が高い。また、生地の厚みが増すことにより、衣服の袖口が下りてきてしまうことも防止できるため、衣服の袖口をぬらすことなく、快適に洗顔ができる。平ゴムの伸縮性と、シャーリングの構造により、アームカバー全体が横に伸びるため、腕につけやすい。平ゴムを通す部分は３段設けており、アームカバー全体が腕に密着し、洗顔時に腕を伝って流れる水を浸入させることなく、完全に吸収することができる。全体にタオル地を使用した、円柱状の筒型であるため、上下、裏表に関係なく使用できる。アームカバーを衣服の袖口にかぶせることなく、腕を通すだけで良いため、着脱が容易である。フックに掛けるためのループを設けていることにより、使用後に水にぬれたアームカバーを吊るすことができて乾かしやすく、次に使用する時には乾いた状態で使用できる。
【図面の簡単な説明】
【０００６】
【図１】本発明の斜視図
【図２】本発明の本体にゴムを挿入した状態図
【図３】本発明の使用状態図
【発明を実施するための形態】
【０００７】以下、本発明の実施の形態について説明する。
（イ）アームカバー本体には、吸水性に優れ、肌触りの良いタオル地（１）を使用する。
（ロ）２つ折りにして２重にしたタオル地（１）に、平ゴム（２）を通す部分を３段設け      る。これにより、アームカバー（５）の上端、下端、中央の全てが腕（６）に密着      し、腕（６）を伝って流れる水（７）を浸入させることなく、タオル地（１）が完      全に吸収できる。
（ハ）平ゴム（２）を３本通してシャーリング（８）を施す。これにより、全体に使用す      るタオル地（１）の面積が増え、吸水力が高まる。また、平ゴム（２）の伸縮性と      、シャーリング（８）の構造により、アームカバー（５）全体が横に伸びるため、      腕（６）につけやすく、アームカバー（５）本体に厚みができることにより、衣服      の袖口（４）が下がってきてしまうことも防げる。
（ニ）タオル地（１）と平ゴム（２）の両端を縫い合わせて円柱状の筒形に形成する。こ      れにより、上下に関係なく使用することができ、着脱がしやすい。
（ホ）アームカバー（５）の縁の部分に、例えばひもやリボンを使用してフックに掛ける      ためのループ（３）を設ける。これにより、使用後の水にぬれたアームカバー（５      ）を吊るして乾かすことができ、次に使用するときには乾いた状態で使用できる。
本発明は以上のような構造である。
これを使用する時は、図３に示すように衣服の袖口（４）を上げてからアームカバー（５）に腕（６）を通して洗顔すると、腕（６）を伝って流れる水（７）をタオル地（１）が吸収して、衣服の袖口（４）がぬれるのを防ぐことができる。
使用後は、フック等にループ（３）を引っ掛けて、吊るして乾かすことができるため、次に使用するときには乾いた状態で使用できる。
【符号の説明】
【０００８】１タオル地
２平ゴム
３ループ
４衣服の袖口
５アームカバー
６腕
７水
８シャーリング
【図１】
2015004154.tif 000003
【図２】
2015004154.tif 000004
【図３】
2015004154.tif 000005
(57)【要約】【課題】Ｌ字形の上枠をＬ字形の梁に取る付ける作業を容易にするとともに、縦枠を柱に取る付ける際の位置決めを正確にし、作業も容易にする。【解決手段】Ｌ字形の梁１にＬ字形の上枠５を取り付ける際、柱２に当接する施工補助金具３を用いる。施工補助金具３は、上枠５、縦枠８を取り付ける際のスペースを確保できる形状とする。精度よく上枠、縦枠をとりつけるために、施工補助金具３は、柱２に当接する底部３１と、梁１に当接する凸部３２と、上枠５を支える支承部３３とからなる形状とする。【選択図】図１
2015004159.tif 000002
【特許請求の範囲】
【請求項１】
Ｌ字形の梁１にＬ字形の上枠５を取り付ける際、柱２に当接する施工補助金具３を用いることを特徴とする上枠５、縦枠８の取り付け方法。
【請求項２】
施工補助金具３は梁１にも当接することを特徴とする請求項１記載の上枠５、縦枠８の取り付け方法。
【請求項３】
前記施工補助金具は、上枠、縦枠を取り付ける際のスペース７，６を確保できる形状であることを特徴とする請求項１記載の上枠、縦枠の取り付け方法。
【請求項４】
前記施工補助金具３は、略々横鍵形の形状であり、柱に当接する底部３１と、梁に当接する凸部３２と、上枠を支える支承部３３とからなることを特徴とする請求項１記載の上枠５、縦枠８の取り付け方法。
【請求項５】
前記請求項１乃至４を必須工程として含むことを特徴とするブースの組み立て方法。
【発明の詳細な説明】
【技術分野】
【０００１】
本発明は上枠、縦枠の取り付け方法、より詳しくはＬ字形の梁を有するブースに上枠、縦枠を取り付ける方法及びブースの組み立て方法に関する。
【背景技術】
【０００２】
ブースを構成する扉は、これまで直線状の梁に上枠を取り付けて施工するのが一般的である。近年では車椅子を必要とする人がトイレを利用する際に便利なように２面開口タイプのブースの需要が高まりつつある。（図８）
【特許文献１】特開２００９−２２５９８３号公報
【発明の開示】
【発明が解決しようとする課題】
【０００３】
しかしながら、梁がＬ字形であるため一人でＬ字形の上枠を取り付けるのは困難であった。理由としては一端を取り付けて、他端を取り付けるには取り付ける人間と、Ｌ字形の上枠の中央付近を支える道具や、人間が必要となり、縦枠用のスペースを確保するための位置決めも容易ではなく、Ｌ字形の上枠をＬ字形の梁に取る付ける作業は困難で手間がかかっていた。
【課題を解決するための手段】
【０００４】
本発明はかかる状況に鑑み検討されたもので、Ｌ字形の梁１にＬ字形の上枠５を取り付ける際、柱２に当接する施工補助金具３を用いることを特徴とする上枠５、縦枠８の取り付け方法である。
【発明の効果】
【０００５】
本発明では、Ｌ字形の梁にＬ字形の上枠を取り付けるのが容易で一人で充分施工でき、縦枠用のスペースを確保するための位置決めも正確にできる。
以下、本発明を図面に基づいて詳細に説明する。
【発明を実施するための最良の形態】
【０００６】
図１は施工補助金具３の拡大断面図、図２〜図７は上枠、縦枠の施工方法を示す模式斜視図、図８はブースの平面図である。
【０００７】
施工補助金具３は、上枠、縦枠を取り付ける際のスペース７，６を確保できる形状であり、より詳しくは、略々横鍵形の形状であり、柱２に当接する底部３１と縦枠８を取り付けるスペースを確保するための凸部３２と、上枠を取り付けるスペースを確保し、上枠を支える支承部３３を備えている。
【０００８】
施工補助金具３は梁１にも当接する部分、すなわち凸部３２を有することにより、上枠５、縦枠８の位置決めが精度よく、簡単にできる。
【０００９】
次に、上枠、縦枠の施工方法を順に説明する。先ず図２に示すようにＬ字形の梁１と柱２に当接する施工補助金具３を用意する。
【００１０】
次いで図３に示すように施工補助金具３を梁１に当接するよう柱２に取り付ける。
【００１１】
次いで図４に示すように上枠５を用意し、一人で上枠５を支える。
【００１２】
次いで図５に示すように上枠５を施工補助金具３の支承部３３に引っ掛けながら挿入して上枠５を梁１に取り付ける。
【００１３】
上枠５を梁１に取り付けた後で施工補助金具３を取り外すと縦枠用のスペース６ができる。
【００１４】
次いで図７に示すように縦枠８の先端をスペース６に挿入し、柱２に当接させて取り付ける。このように施工すれば上枠５、縦枠８の位置決めが正確に行うことができ、一人で充分作業でき、熟練度を必要としない。
【００１５】
上記の工程を含むことにより図８に示すようなトイレブースを容易に組み立てることができる。
【図面の簡単な説明】
【００１６】
【図１】施工補助金具の断面図。
【図２】梁、柱と施工補助金具の分解斜視図。
【図３】施工補助金具の取り付け状態を示す斜視図。
【図４】上枠の準備状態を示す斜視図。
【図５】上枠の取り付け状態を示す斜視図。
【図６】縦枠用のスペースを確保した状態を示す斜視図。
【図７】縦枠を取り付けた状態を示す斜視図。
【図８】２面開口タイプのブースの平面図。
【符号の説明】
【００１７】
１  梁
２  柱
３  施工補助金具
３１  底部
３２  凸部
３３  支承部
３９  ビス孔
５  上枠
６  縦枠用スペース
７  上枠用スペース
８  縦枠
【図１】
2015004159.tif 000003
【図２】
2015004159.tif 000004
【図３】
2015004159.tif 000005
【図４】
2015004159.tif 000006
【図５】
2015004159.tif 000007
【図６】
2015004159.tif 000008
【図７】
2015004159.tif 000009
【図８】
2015004159.tif 000010
(57)【要約】【課題】  従来の冷房・冷凍装置の省エネや節電は、外部の排熱や動力を利用するものが殆どで、装置が大型化し、系全体での省エネや節電がなされないものがほとんどだった。また、冷房用空気を除湿し顕熱負荷を抑制する方法も利用されているが、室内が乾燥しすぎるため乾燥肌等健康被害の問題があった。【解決手段】  本発明によれば、冷房・冷凍装置の吸気側フィルターから放射される３０〜４０テラヘルツの共鳴電磁波で、当該装置に取り入れる空気を活性化し、当該装置内の結露等の水分を低温で活発に蒸発させることにより、冷却用の空気から気化熱を奪い、特別な追加エネルギーを消費しないで、冷房・冷凍効率を向上させることができる。【選択図】図１
2015004504.tif 000002
【特許請求の範囲】
【請求項１】
３０〜４０テラヘルツの共鳴電磁波を放射することを特徴とする冷房・冷凍装置用吸気フィルター。
【発明の詳細な説明】
【技術分野】
【０００１】  本発明は、冷房・冷凍装置の省エネや節電を目的として、３０〜４０テラヘルツの共鳴電磁波を放射する材料で作製された冷房・冷凍装置用の吸気フィルターに関するものである。
【背景技術】
【０００２】  従来、冷房・冷凍装置の省エネや節電は、外部の排熱やエネルギーを有効利用することによる方法がほとんどである。【０００３】  また、冷却用空気を除湿することにより顕熱負荷を減少させる方法も開発されている。
【特許文献１】  特許公開２００１−１９３９６５
【特許文献２】  特許公開２０００−３３７６６９
【特許文献３】  特許公開２００７−３２７７９
【発明の開示】
【発明が解決しようとする課題】
【０００４】  従来の冷房冷凍装置の省エネや節電は、排熱の有効利用等の外部エネルギーを利用するものが殆どで、系全体としてはエネルギーを節約していなかったり、省エネ節電装置が大型化する問題があった。【０００５】  また、上記の欠点を解決するために、除湿フィルターや除湿ローターで、冷房用空気の除湿を行い顕熱負荷を減少させる方法も開発されているが、室内冷房用空気が乾燥しすぎて、利用者に乾燥肌等の健康被害を発生させるという問題もあった。
【課題を解決するための手段】
【０００６】  このような課題を解決するために本発明者は、３０〜４０テラヘルツの共鳴電磁波を発振する吸気フィルターを取り付けた送風機により水道水や井戸水を曝気すると、当該水の水分子間の水素結合が共振励起され分離し、当該水の水分子クラスターが微細化し、当該水のＰＨ値が１．５〜２程大きくなり弱アルカリ化し、酸化還元電位が還元側になることを見出し、本発明をなすに至った。【０００７】  すなわち、上記課題を解決するために、本発明では、３０〜４０テラヘルツの共鳴電磁波を放射するフィルターを、冷房・冷凍装置の吸気側に取り付け、室内空気または冷凍冷蔵庫内の循環空気に含まれる水分の水分子間の水素結合を分離し、当該空気を活性化する。【０００８】  また、３０〜４０テラヘルツの共鳴電磁波で活性化された室内空気または、冷凍冷蔵庫内の循環空気は、熱交換器表面の結露水滴の水素結合を分離し単分子化し、低温条件下での蒸発を活発にし、冷房用空気や庫内循環空気を適度に加湿するとともに、当該空気から気化熱を奪い、温度を下げる。
【発明の効果】
【０００９】  本発明の冷房・冷凍装置用吸気フィルターによれば、当該フィルターの放射する３０〜４０テラヘルツの共鳴電磁波で、室内空気や冷蔵冷凍庫の循環空気を活性化し、当該冷房冷凍装置内に付着する水滴を低温条件下で蒸散させ、気化熱を奪うことにより、当該冷房用空気や冷凍用循環空気の温度を無動力で下げることができる。【００１０】  また本発明の冷房・冷凍装置用吸気フィルターによれば、冷房装置の室内空気に適度な湿度を加湿することができ、冷房病や乾燥肌の対策としての効果がある。【００１１】  また本発明の吸気フィルターによれば、冷凍冷蔵庫内の循環空気を活性化することができ、当該冷蔵冷凍庫内の結露及び霜の形成を抑制することができ、除霜回数を減らすことができ、省エネや節電に効果がある。
【発明を実施するための最良の形態】
【００１２】  以下、本発明の実施形態について図面を参照しながら詳細に説明する。
図１は、本発明の作用を示す断面図である。【００１３】  図１に示すように、室内空気８は、送風機３により、３０〜４０テラヘルツの共鳴電磁波６を放射する吸気フィルター２を通過して、熱交換器４に送られ、冷却される。【００１４】  吸気フィルター２から放射される３０〜４０テラヘルツの共鳴電磁波６により、室内空気８に含まれる水蒸気が、当該電磁波の転写体となる活性空気９となり、３０〜４０テラヘルツの共鳴電磁波６を放射する。【００１５】  活性空気９が熱交換器４で熱を奪われ冷房用空気１０となる際、熱交換器表面の結露５の水分子間の水素結合が、活性空気９の放射する３０〜４０テラヘルツの共鳴電磁波６で共振励起され、分離し、当該水分子が単分子化することにより、液相から気相への相変化が容易になり、低温でも活発に水蒸気７となり蒸発し、活性空気９から気化熱を奪う。【００１６】  熱交換器４による冷却に、結露５の低温蒸散による気化熱が加わることにより、外部エネルギーを全く与えることなく、冷房用空気１０をさらに冷却することが可能となり、冷房効率が向上する。【００１７】  また、一般的な冷房装置の場合、室内空気から湿度を奪うことにより冷却するため、乾燥空気による乾燥肌の問題があったが、本発明によれば、冷房用空気に、水蒸気７が加わるため、加湿効果も得られる。【００１８】  また、前述の説明は、冷房装置と限定しているが、冷蔵庫や冷凍庫のように、庫内の空気を、熱交換器で冷却し、循環するシステムの冷却装置は、同じように、冷却効率が向上する。
【実施例】
【００１９】  本発明による吸気フィルターを発明者の自宅の冷房装置に取り付け、前年の消費電気量と比較したところ約３８％の節電が確認された。また本発明の吸気フィルターの取り付け前と後の、冷房用空気の温度を遠隔放射温度計で測定したところ、当該フィルター取り付け後の方が約２℃、冷房用空気の温度が下がり、冷房用空気の湿度が１０〜２０％上昇することが確認できた。
【産業上の利用可能性】
【００２０】  本発明は、空調装置や冷凍冷蔵庫の省エネや節電だけでなく、自動販売機や冷凍コンテナーの省エネや節電にも利用できる。
【図面の簡単な説明】
【００２１】
【図１】は、本発明の作用を示す断面図である。
【符号の説明】
【００２２】  １    冷房装置本体
２    吸気フィルター
３    送風機
４    熱交換器
５    結露
６    共鳴電磁波
７    水蒸気
８    室内空気
９    活性空気
１０  冷房用空気
【図１】
2015004504.tif 000003
(57)【要約】【課題】  これまでの電気回路・磁気回路では正の質量・負の質量が励起されない。【解決手段】  ｇ方程式から導き出された質量式に基づき、電気回路・磁気回路を構成する電荷及び誘電率が複素数になるならば、回路には複素質量が励起する。  複数の回路で励起された複素質量を一つの合成質量と見なすならば、個々の励起した複素質量の絶対値・偏角を制御することにより、合成質量の実部が正もしくは負となる。  これによって質量の制御が可能になる。【選択図】なし【特許請求の範囲】
【請求項１】
ｇ方程式から導き出された質量式に基づいた正の質量・負の質量を励起する電気回路・磁気回路。
【請求項２】
電荷及び誘電率は電気回路・磁気回路に供給する電圧・電流・電磁場に対する等価回路で構築。
【請求項３】
複素質量を励起させるために等価回路が複素数の値を取るように制御。
【請求項４】
複数の励起した複素質量を一つの合成質量とするために複数の電気回路・磁気回路を相互に近接配置。
【請求項５】
合成質量の実部を正もしくは負の値とするために複数の励起した複素質量について個別に絶対値・偏角を制御。
【請求項６】
励起する正の質量・負の質量の増大を図るために、電気回路・磁気回路を極めて小型に構築かつ多数設置のほか、電気回路・磁気回路を極めて短い周期で励起。
【請求項７】
質量の励起の実現に必要な、明細書の手法及び請求項１から請求項６までの手法。
【発明の詳細な説明】
【技術分野】
【０００１】
本発明は、電気回路・磁気回路（以下「回路」と呼ぶ）による正の質量・負の質量（以下「質量」と呼ぶ）の励起方法に関するものである。
【背景技術】
【０００２】
ｇ方程式から導き出された質量式（非特許文献２を参照）に基づき、非特許文献１などの現行技術・研究及びその延長上にある技術・研究を用いて、「質量」の励起を実現するものである。
【先行技術文献】
【非特許文献】
【０００３】
【非特許文献１】石原照也（監修）「メタマテリアルの技術と応用」 シーエムシー出版 ２０１１年
【０００４】
【非特許文献２】N.Murata, YojaPanchan  "Calculation of the Elementary Particle Mass"  viXra:1201.0003  2012.01.01
【発明の概要】
【発明が解決しようとする課題】
【０００５】
これまでの電気回路や磁気回路などでは「質量」が励起されない。
【課題を解決するための手段】
【０００６】
質量式に基づく「回路」の構成により「質量」を励起する。
【発明の効果】
【０００７】
質量制御を可能とする「質量」の励起を実現できる。
【発明を実施するための形態】
【０００８】
【数１】
2015050883.tif 000002
（質量式）
【０００９】
ｇ方程式から導き出された質量式に基づき、「質量」を励起する「回路」を構築する。
【００１０】
電荷及び誘電率は、「回路」に供給する電圧・電流・電磁場に対する等価回路として構築する。
【００１１】
等価回路が複素数の値となるように電圧・電流・電磁場を供給するならば、「回路」には複素質量が励起する。
【００１２】
複数の「回路」がそれぞれ励起した複素質量を一つの合成質量と見なすため、複数の「回路」を相互に近接配置する。
【００１３】
複数の「回路」がそれぞれ励起した複素質量の絶対値・偏角を個別に制御することにより、合成質量の実部が正もしくは負の値となる。
【００１４】
複数の「回路」を極めて小型に構築するとともに多数を設置することにより「質量」の増加を図る。
【００１５】
「質量」を極めて短い周期で励起することにより「質量」の増加を図る。
【産業上の利用可能性】
【００１６】
翼を要しない航空機の実現のほか、輸送機器やロボットの姿勢制御などに適用できる。